(57)【要約】      （修正有）【課題】簡単に組立てや修理をすることができ、柄と掻き部との連結箇所を破損し難くすることができる掻き具の提供をする。【解決手段】棒状の柄２と、連結具８と、掻き部９と、掻き部９及び柄２を連結具８に固定する螺子部材１０を具備する。連結具８は、柄２の前端部を包囲する挿入部３と、挿入部３の前端に接合される横長板状の第一壁４と、第一壁４の上端から延びる板状の上壁５と、第一壁４と同形状且つ並行に、上壁５の下方へ延びる板状の第二壁６と、上壁５と挿入部３とに接合される補強部７を有する。掻き部９は、第一壁４と、第二壁６との間に差し込まれ、第一壁４と第二壁６との間隔と同じ厚みを有する。【選択図】図１
0003160400.tif 000002
【実用新案登録請求の範囲】
【請求項１】
前後方向に延び、木で形成された棒状の柄と、
該柄の前端部を包囲するように筒状に延びた挿入部、上端が該挿入部の上端と揃うように該挿入部の前端に接合され該挿入部よりも下方へ延びると共に左右方向へ延びた横長板状の第一壁、該第一壁の上端から前方向へ直角に同じ幅で延びる板状の上壁、該上壁の前端から前記第一壁と同形状且つ平行に下方へ延びる板状の第二壁、該第二壁近傍まで上面視で後方から前方へ広がる板状に形成され前記上壁と前記挿入部とに接合される補強部を有し、金属で形成された連結具と、
該連結具の前記上壁に当接する位置まで前記第二壁と前記第一壁との間に差込まれ、前記連結具から左右方向に延びると共に下方向に延び出し、前記第二壁と前記第一壁との間隔と同じ厚みの板状に木で形成された掻き部と、
該掻き部及び前記柄を前記連結具に対して固定する螺子部材と
を具備することを特徴とする掻き具。
【請求項２】
前記掻き部は、
上下両端の少なくとも下端側が端部に向かって前後方向の厚みが細くなるように形成されていることを特徴とする請求項１に記載の掻き具。
【請求項３】
前記柄は、
前記挿入部に挿入された前端から後端に向かって段階的に順次細くなるように形成されていることを特徴とする請求項１又は請求項２に記載の掻き具。
【考案の詳細な説明】
【技術分野】
【０００１】
本考案は、グランド等の整備作業や除雪作業に使用する掻き具に関するものである。
【背景技術】
【０００２】
従来から、掻き具としては、例えば、グランド等の整備に使用するトンボが知られている。掻き具としてのトンボは、前後に延びる棒状の柄と、柄の前端に柄と直交して連結されると共に柄の左右方向に延びる板状の掻き部と、掻き部に対して柄の左右側面から夫々斜めに延びる棒状の補強部材と、夫々の部材を固定する木螺子や釘等の固定部材とを備えており、木（木材）で形成されたものが知られている。また、トンボを形成する木材として、安価な間伐材を用いたものが知られている。
【０００３】
なお、出願人は、上記の従来技術が記載された特許文献を特に知見していない。
【考案の概要】
【考案が解決しようとする課題】
【０００４】
しかしながら、木で形成された掻き具は、夫々の部材の取付位置を確認しながら組合わせたり、様々な角度から多くの木螺子や釘等を取付けたりして組立てに手間がかかっていた。また、部材が破損したり、消耗したりして修理をする場合は、多くの木螺子や釘等を取外した上に、夫々の部材を分解してしまう必要があって手間がかかっていた。また、木を組合わせた掻き具は、負荷がかかる柄と掻き部との連結箇所が破損し易いといった問題があった。
【０００５】
そこで、本考案は上記の実情に鑑み、簡単に組立てや修理をすることができ、柄と掻き部との連結箇所を破損し難くすることができる掻き具の提供を課題とするものである。
【課題を解決するための手段】
【０００６】
上記の課題を解決するために、本考案に係る掻き具は、
「前後方向に延び、木で形成された棒状の柄と、
該柄の前端部を包囲するように筒状に延びた挿入部、上端が該挿入部の上端と揃うように該挿入部の前端に接合され該挿入部よりも下方へ延びると共に左右方向へ延びた横長板状の第一壁、該第一壁の上端から前方向へ直角に同じ幅で延びる板状の上壁、該上壁の前端から前記第一壁と同形状且つ平行に下方へ延びる板状の第二壁、該第二壁近傍まで上面視で後方から前方へ広がる板状に形成され前記上壁と前記挿入部とに接合される補強部を有し、金属で形成された連結具と、
該連結具の前記上壁に当接する位置まで前記第二壁と前記第一壁との間に差込まれ、前記連結具から左右方向に延びると共に下方向に延び出し、前記第二壁と前記第一壁との間隔と同じ厚みの板状に木で形成された掻き部と、
該掻き部及び前記柄を前記連結具に対して固定する螺子部材と
を具備する」ことを特徴とする。
【０００７】
ここで、柄は、使用する上で把持し易い外形とすれば良く、例えば、円形状や多角形状としたり、前端と後端とで異なる形状であっても構わない。
【０００８】
また、連結具における挿入部は、後側の端面が開口する筒状であれば良く、円形状や多角形状であっても構わない。また、連結具における挿入部は、内形が柄の外形と同形状であったり、異なる形状であったりしても構わない。なお、挿入部の内形と柄の外形とは、多角形状の同形とすることが望ましい。この場合、長手方向を軸とした柄の回転が規制され、この回転方向の負荷が螺子部材に直接かからないため、螺子部材が破損し難いものとすることができる。
【０００９】
また、連結具における補助板は、例えば、上面視で台形状や三角形状であるものが挙げられる。
【００１０】
また、掻き部は、土砂、雪、草等を掻くことができる形状であれば良く、例えば、横長板状のものであったり、横長板状で上下両端の夫々の端部に向かって前後方向の厚みが細くなるものであったり、縦長板状のものであったり、下端に複数の爪形状の突起が形成されたものであっても良い。
【００１１】
また、螺子部材は、工具等で簡単に着脱できるものであれば良く、例えば、木螺子等が挙げられる。なお、螺子部材は挿入する部材を突き抜けない範囲で長いものが望ましく、例えば、連結具と掻き部とを長い螺子部材で固定する場合、掻く時の負荷を螺子部材でも受けることができるため、掻き部を割れ難くすることができ、上下に割れた場合でも下側の部材が外れ落ちないものとすることができる。
【００１２】
ところで、掻き具を用いて土砂や雪等を掻く場合、掻く抵抗により、柄と掻き部とを連結する連結具に負荷がかかるが、本考案の掻き具は、連結具が金属で形成されているため、木を直接連結したものと比べて破損し難い。また、使用に伴って、柄の前端が破損した場合、螺子部材と共に柄を連結具から取外す。そして、破損した前端を切断して再度取付けることで修理することができる。掻き部の下端が消耗した場合、螺子部材と共に掻き部を連結具から取外す。そして、掻き部の上下を反転して消耗していない上端を下端として付け替えることで修理することができる。
【００１３】
従って、本考案の掻き具によれば、柄及び掻き部の取付け位置が案内され、金属で形成される連結具によって柄と掻き部とを連結させるため、簡単に組立てや修理をすることができ、柄と掻き部との連結箇所を破損し難くすることができる。
【００１４】
更に、本考案の掻き具は、上記の構成に加えて、
「前記掻き部は、
上下両端の少なくとも下端側が端部に向かって前後方向の厚みが細くなるように形成されている」ものであっても構わない。
【００１５】
ここで、「端部に向かって前後方向の厚みが細くなる」とは、掻き部の下端側の前面と後面とが鋭角を形成する状態であれば良く、掻き部の前面或いは後面の一方だけを傾斜させて形成しても良いし、両側を傾斜させて形成しても良い。
【００１６】
ところで、下端が細くなっていない掻き具をトンボとして使用した場合、掻き部の下端面は、地面に対して傾いて、進行方向側（柄側）の角部が地面に対して高く位置する。このため、小石やゴミ等がある地面上を掻き部が通過する時に、掻き部の下端面と地面との間にこれらを挟み込んで地面を削ったり、掻き部に引っ掛けられずに乗り越えてしまったりして整地ができない虞があった。
【００１７】
本考案の掻き具によれば、掻き具の下端を細く形成することにより、掻き部の下端面における進行方向側（柄側）の角部は地面に対して低い位置となるため、小石やゴミ等がある地面上を掻き部が通過しても、これらを掻き部に引っ掛けることができ、整地ができない虞を低減することができる。また、掻き具の下端を細く形成することにより、積もった雪や溜まった土砂に掻き部を差込み易くすることができ、掻き易いものとすることができる。なお、上下両端を端部に向かって前後方向の厚みが細くなるように形成した場合は、下端が消耗した掻き部を上下に反転して付け替えても、付け替え前と同様の細い下端を得られるため、上述した効果を奏することができる。
【００１８】
更に、本考案の掻き具は、上記の構成に加えて、
「前記柄は、
前記挿入部に挿入された前端から後端に向かって段階的に順次細くなるように形成されている」ものであっても構わない。
【００１９】
ここで、「段階的に順次細くなる」とは、前端の外形で所定距離延びた後、一定量外形が細くなり、更に所定距離延びた後、また一定量外形が細くなるといったように、柄に段差が形成された状態である。
【００２０】
ところで、掻き具を使用する場合、掻き部側が軽いと地面の凹凸で掻き部が浮いたり、弾んだりして地面を平らにし難い場合があった。
【００２１】
本考案の掻き具によれば、柄が段階的に順次細くなっているため、把持する箇所を握り易い外形とした上で、掻き部側の重量を重くすることができ、地面の凹凸で掻き部が浮いたり、弾んだりすることが無く、地面を平らに整地し易いものとすることができる。また、柄の前端は、把持する箇所の外形に係らず太くすることができるため、連結箇所の強度を向上させて破損し難くすることができる。
【考案の効果】
【００２２】
上記のように、本考案によると、簡単に組立てや修理をすることができ、柄と掻き部との連結箇所を破損し難くすることができる掻き具を提供することができる。
【図面の簡単な説明】
【００２３】
【図１】本考案の掻き具としてトンボに適用した例を示す正面図である。
【図２】図１の掻き具の使用状態を示す断面図である。
【図３】図１の掻き具を分解して示す斜視図である。
【考案を実施するための形態】
【００２４】
以下、本考案の一実施形態である掻き具１について、図１乃至図３に基いて説明する。ここで、図１は本考案の掻き具としてトンボに適用した例を示す正面図であり、図２は図１の掻き具の使用状態を示す断面図であり、図３は図１の掻き具を分解して示す斜視図である。
【００２５】
本実施形態の掻き具１は、グランド等の整備に使用するトンボに適用した例であり、図１乃至図３に示すように、前端から後端に向かって段階的に順次細くなるように前後方向に延び、木で形成された棒状の柄２と、柄２の前端部を包囲するように筒状に延びた挿入部３、上端が挿入部３の上端と揃うように挿入部３の前端に接合され挿入部３よりも下方へ延びると共に左右方向へ延びた横長板状の第一壁４、第一壁４の上端から前方向へ直角に同じ幅で延びる板状の上壁５、上壁５の前端から第一壁４と同形状且つ平行に下方へ延びる板状の第二壁６、第二壁６近傍まで上面視で後方から前方へ広がる板状に形成され上壁５と挿入部３とに接合される補強部７を有し、金属で形成された連結具８と、上端に向かって前後方向の厚みが細くなるように形成された上端を連結具８の上壁５に当接する位置まで第二壁６と第一壁４との間に差込まれ、連結具８から左右方向に延びると共に下端に向かって前後方向の厚みが細くなるように下方向に延び出し、第二壁６と第一壁４との間隔と同じ厚みの板状に木で形成された掻き部９と、掻き部９及び柄２を連結具８に対して固定する螺子部材１０とを具備するものである。
【００２６】
本例の掻き具１の柄２は、前端の断面形状が正方形とされ、前端から所定距離延びた後、段階的に一定量外形が細くなるように形成されている。
【００２７】
また、本例の連結具８は、挿入部３が正方形の外形且つ柄２の外形と同形状である内形に形成され、挿入部３の一つの外周面である上面と第一壁４の上端とが同じ平面上に位置するように接合されている。また、挿入部３の上面と上壁５の左右両端近傍とに孔１２が夫々穿設されている。更に、第一壁４が挿入部３を中心として左右均等に延び、下方向へは挿入部３から延び出す長さとなっている。
【００２８】
また、本例の掻き部９は、下端における前面と上端における後面とに傾斜面１１を形成することによって、上下両端で端部に向かって前後方向の厚みが細くなるように形成されている。
【００２９】
また、本例の螺子部材１０は、挿入部３の上面と上壁５に穿設された孔１２に対して同じ方向から挿入され、柄２或いは掻き部９を固定している。また、本例の螺子部材１０は、取付ける柄２或いは掻き部９の上下方向の長さに対して０．５〜０．９倍の長さとしている。夫々の取付ける部材の半分以上の長さとすることで、掻き部９及び柄２に対して抜け難いものとすることができる。また、掻き部９においては、掻く時の負荷を螺子部材１０でも受けることができるため、掻き部９を割れ難くすることができ、割れた場合でも下側の部材が外れ落ちないものとすることができる。
【００３０】
因みに本例の掻き具１において、柄２及び掻き部９は桧の間伐材によって形成され、柄２は、長さが約１８００ｍｍ、前端の外形が一辺を約４０ｍｍとした正方形であり、掻き部９は上下方向の長さが約９０ｍｍである。また、連結具８における挿入部３は、一辺が約４０ｍｍの正方形とされた内形である金属の角パイプを切断して形成されている。連結具８における第一壁４、上壁５及び第二壁６は、縦が約１００ｍｍ、横が約３００ｍｍ、厚みが約２．３ｍｍである金属板を縦方向に二箇所を直角に曲折することによって夫々の壁が形成され、第一壁４と第二壁６との間隔が約１９ｍｍである。連結具８における補強部７は、斜辺が約１００ｍｍとされた台形状の金属板で形成されている。なお、連結具８における各部材は溶接で接合されている。また、螺子部材１０は、木螺子であり、掻き部９に取付けるものの長さが約７０ｍｍである。なお、これらの寸法や材料は使用環境等に応じて適宜変更しても構わない。
【００３１】
本例の掻き具１をグランド等の整地作業に用いる場合、作業者は柄２の後端近傍を把持して掻き部９の下端を地面に接地させる。作業者は柄２を操作して掻き部９を進行方向側（柄２側）に引き寄せて地面の凹凸を掻く。このとき、掻く土砂の抵抗により、柄２と掻き部９とを連結する連結具８に負荷がかかるが、連結具８は金属で形成されているため、木を直接連結したものと比べて破損し難い。また、使用に伴って、柄２の前端が破損した場合、螺子部材１０と共に柄２を連結具８から取外す。そして、破損した前端を切断して再度取付けることで修理することができる。掻き部９の下端が消耗した場合、螺子部材１０と共に掻き部９を連結具８から取外す。そして、掻き部９の上下を反転して消耗していない上端を下端として付け替えることで修理することができる。
【００３２】
このように、本実施形態の掻き具１によると、柄２及び掻き部９の取付け位置が案内され、金属で形成される連結具８によって柄２と掻き部９とを連結させるため、簡単に組立てや修理をすることができ、柄２と掻き部９との連結箇所を破損し難くすることができる掻き具１を提供することができる。
【００３３】
また、本実施形態の掻き具１によると、掻き部９の下端は端部に向かって細くなっており、掻き部９の下端面における進行方向側の角部は地面に対して低い位置となるため、小石やゴミ等の小さなものまで掻き部９に引っ掛けることができ、これらを地面から取除くことができる。
【００３４】
また、本実施形態の掻き具１によると、掻き部９の下端に加えて、上端も端部に向かって細くなっているため、下端が消耗した掻き部９の上下を反転して付け替えても、上述した効果を奏することができる。
【００３５】
また、本実施形態の掻き具１によると、柄２が後端に向かって段階的に順次細くなっているため、把持する箇所を握り易い外形とした上で、掻き部９側の重量を重くすることができ、地面の凹凸で掻き部９が浮いたり、弾んだりすることが無く、地面を平らに整地し易いものとすることができる。また、柄２の前端は、把持する箇所の外形に係らず太くすることができるため、連結箇所の強度を向上させて破損し難くすることができる。
【００３６】
また、本実施形態の掻き具１によると、柄２及び掻き部９は、連結具８に差込む及び挿入するだけで夫々の位置関係が決まるため、容易に組立てをすることができる。また、これらを固定する螺子部材１０は、全て同じ方向から挿入されているため、様々な方向から取付ける必要が無く、組立て易いものとすることができる。
【００３７】
また、本実施形態の掻き具１によると、柄２及び掻き部９を桧の間伐材で形成しているため、安価なものとすることができる。
【００３８】
また、本実施形態の掻き具１は、第一壁４と第二壁６との間隔を１９ｍｍとしているので、掻き部９に用いる木材として、一般的に市販されている板厚のままの木材を使用することができ、市販材を用いることで板厚を加工する手間を省いて掻き具１にかかるコストを低減させることができる。
【００３９】
以上、本考案を実施するための好適な実施形態を挙げて説明したが、本考案は、この実施形態に限定されるものではなく、以下に示すように、本考案の要旨を逸脱しない範囲において、種々の改良及び設計の変更が可能である。
【００４０】
すなわち、上記の実施形態では、グランド等を整地するトンボに適用したものを示したが、これに限定するものではなく、掻き部９を上下方向に長い縦長の形状にして雪掻きや鍬としたり、掻き部９の下端に複数の爪状の突起を形成してレーキとしても良い。更に、形状が異なる掻き部９を予め用意し、用途によって付け替えるようにしても良い。
【００４１】
また、上記の実施形態では、掻き部９において、上下両端で端部に向かって前後方向の厚みが細くなるように、下端における前面と上端における後面とに傾斜面１１を形成するものを示したが、これに限定するものではなく、下端における前面と上端における前面とに傾斜面１１を形成したり、下端における両面と上端における両面とに傾斜面１１を形成したりしても良い。
【００４２】
また、上記の実施形態では、柄２の後端部分に何も取付けていないものを示したが、これに限定するものではなく、柄２の後端部分にテープ状の滑り止めを巻いたり、柄２の長手方向と直角方向に延びる棒状の取手を取付けたりしても良い。この場合、把持する箇所で手が滑らないため、更に掻き易いものとすることができる。
【００４３】
また、上記の実施形態では、柄２及び掻き部９に、桧の間伐材を用いたものを示したが、これに限定するものではなく、他の樹種の間伐材、建築材料の端材、合板、集成材等を用いても良く、上述と同様の作用効果を奏することができる。なお、安価な輸入材等を用いた場合、掻き具１にかかるコストを更に低減させることができる。
【符号の説明】
【００４４】
１  掻き具
２  柄
３  挿入部
４  第一壁
５  上壁
６  第二壁
７  補強部
８  連結具
９  掻き部
１０  螺子部材
１１  傾斜面
１２  孔
【図１】
0003160400.tif 000003
【図２】
0003160400.tif 000004
【図３】
0003160400.tif 000005